(57)【要約】【課題】電子ファイルの印刷に関する印刷データを容易に、かつ確実に管理できる印刷システムを提供する。【解決手段】印刷システム１９は、電子ファイル３３の操作が可能なコンピュータ１２と、コンピュータ１２からの印刷要求により電子ファイル３３の画像データを印刷可能なプリンター１３とを含む。コンピュータ１２は、電子ファイル３３の印刷に関する印刷データを入力させる入力手段と、入力手段により入力させた印刷データを、電子ファイル３３のうち画像データとは異なる領域であって、データを書込み可能な領域３３ｂに書込む書込み手段とを備える。【選択図】図１
2009025981.tif 000002
【特許請求の範囲】
【請求項１】
電子ファイルの操作が可能なコンピュータと、前記コンピュータからの印刷要求により前記電子ファイルの画像データを印刷可能な印刷装置とを含む印刷システムであって、
前記コンピュータは、前記電子ファイルの印刷に関する印刷データを入力させる入力手段と、
前記入力手段により入力させた前記印刷データを、前記電子ファイルのうち前記画像データとは異なる領域であって、データを書込み可能な書込み領域に書込む書込み手段とを備える、印刷システム。
【請求項２】
前記コンピュータは、前記電子ファイルに前記書込み領域があるか否かを判断する判断手段を備える、請求項１に記載の印刷システム。
【請求項３】
前記印刷データは、前記電子ファイルの印刷の履歴に関する印刷データを含む、請求項１または２に記載の印刷システム。
【請求項４】
前記コンピュータは、前記書込み手段によって書込まれた前記印刷データを表示する表示手段を備える、請求項１〜３のいずれかに記載の印刷システム。
【請求項５】
前記コンピュータは、前記書込み手段によって書込まれた前記印刷データを、日時の古い順に消去する消去手段を備える、請求項１〜４のいずれかに記載の印刷システム。
【請求項６】
前記判断手段は、前記電子ファイルの形式に基づいて、前記書込み領域があるか否かを判断する、請求項２〜５のいずれかに記載の印刷システム。
【請求項７】
電子ファイルの操作が可能であって、印刷装置に接続されており、印刷装置に印刷を要求することにより電子ファイルの画像データを印刷可能なコンピュータを、
電子ファイルの印刷に関する印刷データを入力させる入力手段、
入力手段により入力させた前記印刷データを、電子ファイルのうち画像データとは異なる領域であって、データを書込み可能な書込み領域に書込む書込み手段として機能させるための印刷プログラム。
【請求項８】
電子ファイルの操作が可能であって、印刷装置に接続されており、印刷装置に印刷を要求することにより電子ファイルの画像データを印刷可能なコンピュータを、
電子ファイルの印刷に関する印刷データを入力させる入力手段、
入力手段により入力させた前記印刷データを、電子ファイルのうち画像データとは異なる領域であって、データを書込み可能な書込み領域に書込む書込み手段として機能させるための印刷プログラムを記録したコンピュータ読取り可能な記録媒体。
【請求項９】
電子ファイルの画像データの印刷が可能な印刷装置であって、
前記印刷装置は、前記電子ファイルの印刷に関する印刷データを入力させる入力手段と、
前記入力手段により入力させた前記印刷データを、前記電子ファイルのうち前記画像データとは異なる領域であって、データを書込み可能な書込み領域に書込む書込み手段とを備える、印刷装置。
【発明の詳細な説明】
【技術分野】
【０００１】
この発明は、印刷システム、印刷プログラム、記録媒体および印刷装置に関し、特に、電子ファイルの画像データの印刷の履歴を管理する印刷システム、印刷プログラム、記録媒体および印刷装置に関するものである。
【背景技術】
【０００２】
昨今、コンピュータ等に保存された電子ファイルの画像データを効率的に印刷する観点から、電子ファイルの画像データの不必要な印刷を低減するよう印刷を管理することが求められている。
【０００３】
ここで、電子ファイルの画像データを印刷する際に、いつ、誰が、どの電子ファイルの画像データを印刷したかという印刷の履歴を保存し、これを印刷時に参照することによって、不必要な印刷を低減するよう印刷を管理する技術が、特開２００３−１５８５５号公報（特許文献１）、特開２００３−３３０６３８号公報（特許文献２）および特開２００６−２２９６７０号公報（特許文献３）に開示されている。
【０００４】
特許文献１においては、印刷の履歴を保存するサーバを、印刷要求を行うコンピュータとは別に設けている。そして、コンピュータから電子ファイルの画像データを印刷すると、その印刷の履歴を専用ソフトを用いてサーバに保存している。このようにして、電子ファイルの画像データの印刷を管理している。
【０００５】
特許文献２においては、印刷の履歴を保存するデータベースを新たに作成している。そして、コンピュータから電子ファイルの画像データを印刷すると、その印刷の履歴をデータベースに保存している。このようにして、電子ファイルの画像データの印刷を管理している。
【０００６】
特許文献３においては、コンピュータから電子ファイルの画像データを印刷すると、その印刷の履歴を２次元バーコード等の画像データとして、元の画像データに追加して電子ファイルに保存している。このようにして、電子ファイルの画像データの印刷を管理している。
【特許文献１】特開２００３−１５８５５号公報（段落番号００２８、００４５〜００４９）
【特許文献２】特開２００３−３３０６３８号公報（段落番号００４０、００４４〜００４５）
【特許文献３】特開２００６−２２９６７０号公報（段落番号０１０３〜０１２３）
【発明の開示】
【発明が解決しようとする課題】
【０００７】
特許文献１および特許文献２によると、印刷の履歴をサーバまたはデータベースに保存している。この場合、印刷の履歴を保存するには、サーバまたはデータベースを別途設ける必要がある。また、ユーザが、サーバまたはデータベース内の印刷の履歴を参照する際に、参照したい電子ファイルと異なる電子ファイルの履歴を誤って参照する恐れがある。
【０００８】
特許文献３によると、印刷の履歴についての情報を有する２次元バーコード等を作成し、これを元の画像データに追加して電子ファイルに保存している。この場合、画像データとして追加されるため、電子ファイルの画像データに影響を与える恐れがある。また、２次元バーコード等を作成する必要があるため、印刷の履歴を保存する処理が複雑になってしまう恐れがある。
【０００９】
この発明の目的は、電子ファイルの印刷に関する印刷データを容易に、かつ確実に管理できる印刷システムを提供することである。
【００１０】
この発明の他の目的は、電子ファイルの印刷に関する印刷データを容易に、かつ確実に管理できる印刷プログラムを提供することである。
【００１１】
この発明のさらに他の目的は、電子ファイルの印刷に関する印刷データを容易に、かつ確実に管理できる印刷プログラムを記録した記録媒体を提供することである。
【００１２】
この発明のさらに他の目的は、電子ファイルの印刷に関する印刷データを容易に、かつ確実に管理できる印刷装置を提供することである。
【課題を解決するための手段】
【００１３】
この発明に係る印刷システムは、電子ファイルの操作が可能なコンピュータと、コンピュータからの印刷要求により電子ファイルの画像データを印刷可能な印刷装置とを含む。コンピュータは、電子ファイルの印刷に関する印刷データを入力させる入力手段と、入力手段により入力させた印刷データを、電子ファイルのうち画像データとは異なる領域であって、データを書込み可能な書込み領域に書込む書込み手段とを備える。
【００１４】
好ましくは、コンピュータは、電子ファイルに書込み領域があるか否かを判断する判断手段を備える。
【００１５】
さらに好ましくは、印刷データは、電子ファイルの印刷の履歴に関する印刷データを含む。
【００１６】
さらに好ましくは、コンピュータは、書込み手段によって書込まれた印刷データを表示する表示手段を備える。
【００１７】
さらに好ましくは、コンピュータは、書込み手段によって書込まれた印刷データを、日時の古い順に消去する消去手段を備える。
【００１８】
さらに好ましくは、判断手段は、電子ファイルの形式に基づいて、書込み領域があるか否かを判断する。
【００１９】
この発明の他の局面においては、印刷プログラムは、電子ファイルの操作が可能であって、印刷装置に接続されており、印刷装置に印刷を要求することにより電子ファイルの画像データを印刷可能なコンピュータを、電子ファイルの印刷に関する印刷データを入力させる入力手段、入力手段により入力させた印刷データを、電子ファイルのうち画像データとは異なる領域であって、データを書込み可能な書込み領域に書込む書込み手段として機能させる。
【００２０】
この発明のさらに他の局面においては、コンピュータ読取り可能な記録媒体は、電子ファイルの操作が可能であって、印刷装置に接続されており、印刷装置に印刷を要求することにより電子ファイルの画像データを印刷可能なコンピュータを、電子ファイルの印刷に関する印刷データを入力させる入力手段、入力手段により入力させた印刷データを、電子ファイルのうち画像データとは異なる領域であって、データを書込み可能な書込み領域に書込む書込み手段として機能させるための印刷プログラムを記録する。
【００２１】
この発明のさらに他の局面においては、印刷装置は、電子ファイルの画像データの印刷が可能である。印刷装置は、電子ファイルの印刷に関する印刷データを入力させる入力手段と、入力手段により入力させた印刷データを、電子ファイルのうち画像データとは異なる領域であって、データを書込み可能な書込み領域に書込む書込み手段とを備える。
【発明の効果】
【００２２】
このような印刷システムは、入力手段により電子ファイルの印刷に関する印刷データを入力させて、書込み手段により電子ファイル自体の画像データとは異なる書込み領域に書込むことができる。そうすると、印刷データを電子ファイル自体に保存することができる。この場合、サーバやデータベース等を別途設ける必要はない。さらに、電子ファイルの書込み領域に書込むため、印刷データを参照する際に、参照したい電子ファイルと異なる電子ファイルの印刷データを誤って参照する恐れを低減することができる。また、電子ファイルの画像データとは異なる書込み領域に書込むため、電子ファイルの画像データへの影響を低減することができる。したがって、印刷データを容易に、かつ確実に管理することができる。
【００２３】
また、このような印刷プログラムにより、入力手段によって電子ファイルの印刷に関する印刷データを入力させて、書込み手段によって電子ファイル自体の画像データとは異なる書込み領域に書込むことができる。そうすると、印刷データを電子ファイル自体に保存することができる。この場合、サーバやデータベース等を別途設ける必要はない。さらに、電子ファイルの書込み領域に書込むため、印刷データを参照する際に、参照したい電子ファイルと異なる電子ファイルの印刷データを誤って参照する恐れを低減することができる。また、電子ファイルの画像データとは異なる書込み領域に書込むため、電子ファイルの画像データへの影響を低減することができる。したがって、印刷データを容易に、かつ確実に管理することができる。
【００２４】
また、このような記録媒体は、記録した印刷プログラムにより、入力手段によって電子ファイルの印刷に関する印刷データを入力させて、書込み手段によって電子ファイル自体の画像データとは異なる書込み領域に書込むことができる。そうすると、印刷データを電子ファイル自体に保存することができる。この場合、サーバやデータベース等を別途設ける必要はない。さらに、電子ファイルの書込み領域に書込むため、印刷データを参照する際に、参照したい電子ファイルと異なる電子ファイルの印刷データを誤って参照する恐れを低減することができる。また、電子ファイルの画像データとは異なる書込み領域に書込むため、電子ファイルの画像データへの影響を低減することができる。したがって、印刷データを容易に、かつ確実に管理することができる。
【００２５】
また、このような印刷装置は、入力手段により電子ファイルの印刷に関する印刷データを入力させて、書込み手段により電子ファイル自体の画像データとは異なる書込み領域に書込むことができる。そうすると、印刷データを電子ファイル自体に保存することができる。この場合、サーバやデータベース等を別途設ける必要はない。さらに、電子ファイルの書込み領域に書込むため、印刷データを参照する際に、参照したい電子ファイルと異なる電子ファイルの印刷データを誤って参照する恐れを低減することができる。また、電子ファイルの画像データとは異なる書込み領域に書込むため、電子ファイルの画像データへの影響を低減することができる。したがって、印刷データを容易に、かつ確実に管理することができる。
【発明を実施するための最良の形態】
【００２６】
以下、この発明の実施の形態を図面を参照して説明する。図１は、この発明の一実施形態に係る印刷システム１９の一例を示すブロック図である。ここでは、印刷装置をプリンター１３に適用している。図１を参照して、印刷システム１９は、プリンター１３とコンピュータ１２とを含む。プリンター１３とコンピュータ１２は、ネットワーク２０を介して接続されている。
【００２７】
コンピュータ１２は、ＣＰＵ（中央処理装置）を含み、コンピュータ１２全体を制御するコンピュータ制御部１４と、ハードディスク等を含み、電子ファイル等を保存するコンピュータ記憶部１５と、ディスプレイ３１等を含み、コンピュータ記憶部１５に保存された電子ファイルの画像データ等を表示するコンピュータ表示部１６と、マウス等を含み、コンピュータ１２におけるユーザとのインターフェースとなるコンピュータ操作部１７と、ネットワーク２０と接続するコンピュータネットワークＩＦ（インターフェース）部１８とを備える。
【００２８】
コンピュータ制御部１４は、プリンタドライバ３２や、他にも図示はしないが、多数のアプリケーションソフトを備える。ユーザは、アプリケーションソフトを実行して、電子ファイルを作成する。
【００２９】
プリンタドライバ３２は、コンピュータ１２から電子ファイルを印刷する場合に、コンピュータ１２において印刷に関する制御を行う。具体的には、印刷する用紙サイズや印刷ページ等の印刷条件を、ディスプレイ３１に表示したり、ユーザが設定した印刷条件で印刷するよう、ネットワーク２０を介して、プリンター１３へ印刷する画像データを送信する。プリンター１３は、送信された電子ファイルの画像データを印刷可能である。
【００３０】
なお、図１において、太線の矢印は画像データの流れを示しており、細線の矢印は制御信号または制御データの流れを示している。
【００３１】
ここで、この発明の一実施形態に係る印刷システム１９において使用される電子ファイルについて説明する。図２は、電子ファイル３３のデータ構成の一例を示す概念図である。図１および図２を参照して、電子ファイル３３は、画像を形成する元となる画像データを格納する領域３３ａと、領域３３ａとは異なる領域であって、画像データ以外のデータを格納する領域３３ｂとを備える。領域３３ｂは、画像データ以外のデータを書込み可能である。電子ファイル３３は、例えば、ＰＤＦ（Ｐｏｒｔａｂｌｅ  Ｄｏｃｕｍｅｎｔ  Ｆｏｒｍａｔ）ファイル、ワードファイル、エクセル（登録商標）ファイルであって、領域３３ｂは、コメント記載欄である。
【００３２】
プリンタドライバ３２は、後述するように、電子ファイル３３の書込み可能な領域３３ｂに電子ファイル３３の印刷に関する印刷データを書込む。印刷データとは、電子ファイル３３の印刷の履歴に関する印刷データであって、例えば、電子ファイル３３を印刷する日時、印刷するユーザ、印刷するページ、印刷する部数、印刷するカラー等である。
【００３３】
ここで、印刷システム１９を利用して、ユーザがコンピュータ１２に保存された電子ファイル３３を印刷する場合について説明する。図３は、電子ファイル３３をユーザが印刷する場合のフローチャートである。図１〜図３を参照して、まず、ユーザは、コンピュータ１２において、電子ファイル３３を作成したアプリケーションソフトを実行し、印刷ボタンを押下して、電子ファイル３３の印刷を要求する（図３において、ステップＳ１１、以下ステップを省略する）。そうすると、プリンタドライバ３２は、ネットワーク２０を介して、プリンター１３へ電子ファイル３３の印刷する画像データを送信する。プリンター１３は、送信された画像データから印刷する。
【００３４】
プリンター１３にて印刷後、プリンタドライバ３２は、電子ファイル３３の印刷データを入力させる（Ｓ１２）。ここで、プリンタドライバ３２は、入力手段として作動する。ここでは、具体的に、印刷データとして、コンピュータ１２が有する日時や、コンピュータ１２が有するコンピュータ名等を自動で入力させる。
【００３５】
印刷データを入力後、プリンタドライバ３２は、電子ファイル３３の書込み可能な領域３３ｂに、入力させた電子ファイル３３の印刷データを書込む（Ｓ１３）。ここで、プリンタドライバ３２は、書込み手段として作動する。
【００３６】
こうすることにより、電子ファイル３３の印刷データを入力させて、電子ファイル３３自体の画像データとは異なる書込み可能な領域３３ｂに書込むことができる。そうすると、印刷データを電子ファイル３３自体に保存することができる。この場合、サーバやデータベース等を別途設ける必要はない。また、電子ファイル３３の画像データとは異なる領域３３ｂに書込むため、電子ファイル３３の画像データへの影響を低減することができる。
【００３７】
次に、上記において、電子ファイル３３の印刷データを、ユーザが参照する場合について説明する。図１および図２を参照して、まず、ユーザは、コンピュータ１２において、電子ファイル３３の印刷データの表示を要求する。そうすると、プリンタドライバ３２は、電子ファイル３３の画像データとは異なる書込み可能な領域３３ｂに書込まれた印刷データをディスプレイ３１に表示する。ここで、プリンタドライバ３２は、表示手段として作動する。
【００３８】
図４は、印刷データを表示した表示画面３５の一例を示す図である。図４を参照して、プリンタドライバ３２は、上記した印刷条件等を印刷設定タブ３６としてタブ形式で表示する表示画面３５に、印刷履歴タブ３７としてタブの一つを追加することにより、印刷データを表示する。
【００３９】
このようにして、表示した電子ファイル３３の印刷データを参照して、ユーザは、印刷が必要であるか否かを判断する。具体的には、電子ファイル３３の印刷データを参照して、電子ファイル３３の印刷が必要であるか否かを判断し、必要な場合のみ印刷する。例えば、ユーザは、電子ファイル３３をカラーで印刷した画像を一目見たいだけの場合、電子ファイル３３の印刷データを参照して、カラーで印刷したことがあるか否かを確認する。カラーで印刷したことがある場合、ユーザは、その印刷を行ったユーザの所に赴き、カラーで印刷した画像を見せてもらうことができる。そうすると、不必要な印刷を低減することができる。このようにして、印刷システム１９の管理を行う。
【００４０】
この場合、電子ファイル３３自体に、印刷データを書込むため、印刷データを参照する際に、参照したい電子ファイル３３と異なる電子ファイルの印刷データを誤って参照する恐れを低減することができる。したがって、印刷データを容易に、かつ確実に管理することができる。
【００４１】
また、電子ファイル３３の印刷データを、ディスプレイ３１に表示することにより、印刷データを表示して、有効に利用することができる。
【００４２】
次に、この発明の他の実施形態に係る印刷装置について説明する。図５は、印刷装置をデジタル複合機４０に適用した場合の、デジタル複合機４０の一例を示すブロック図である。図５を参照して、デジタル複合機４０は、デジタル複合機４０全体を制御する制御部４１と、画像データ等の書込みや読出しを行うためのＤＲＡＭ４２と、デジタル複合機４０の有する情報を表示する表示画面を含み、デジタル複合機４０におけるユーザとのインターフェースとなる操作部４３と、原稿を自動的に所定の原稿読取り位置へ搬送する原稿送り装置４４と、原稿送り装置４４によって搬送されてきた原稿の画像を所定の読取り位置でスキャナで読取る画像読取り部４５と、画像読取り部４５で読取られた原稿等からその画像を形成する画像形成部４６と、画像データ等を格納するハードディスク４７と、ネットワーク５０と接続するためのネットワークＩＦ部４９とを備える。
【００４３】
制御部４１は、画像読取り部４５から与えられる原稿データをＤＲＡＭ４２に圧縮符号化して書込み、ＤＲＡＭ４２に書込んだデータを読出し、伸張復号化して画像形成部４６により出力する。
【００４４】
なお、図５において、太線の矢印は画像データの流れを示しており、細線の矢印は制御信号または制御データの流れを示している。
【００４５】
デジタル複合機４０は、ハードディスク４７に電子ファイルを保存する。デジタル複合機４０は、保存した電子ファイルの画像データを印刷可能である。デジタル複合機４０は、電子ファイルの印刷の履歴に関する印刷データを入力させる。さらに、入力させた印刷データを、電子ファイルのうち、画像データとは異なる領域であって、データを書込み可能な領域に書込む。
【００４６】
ここで、デジタル複合機４０を利用して、ユーザがハードディスク４７に保存された電子ファイルを印刷する場合について説明する。ユーザは、操作部４３に備えられる印刷を開始するスタートボタンを押下して、ハードディスク４７に保存された電子ファイルを印刷するよう要求する。そうすると、制御部４１は、ハードディスク４７に保存された電子ファイルの画像データから印刷する。
【００４７】
印刷後、制御部４１は、電子ファイルの印刷データを入力させる。ここで、制御部４１は、入力手段として作動する。ここでは、具体的に、デジタル複合機４０が有する日時や、デジタル複合機４０が有するデジタル複合機名等を自動で入力させる。
【００４８】
印刷データを入力後、制御部４１は、電子ファイルの書込み可能な領域に、入力させた電子ファイルの印刷データを書込む。ここで、制御部４１は、書込み手段として作動する。
【００４９】
こうすることにより、電子ファイルの印刷データを入力させて、電子ファイル自体の画像データとは異なる書込み可能な領域に書込むことができる。そうすると、印刷データを電子ファイル自体に保存することができる。この場合、サーバやデータベース等を別途設ける必要はない。さらに、電子ファイル自体に印刷データを書込むため、印刷データを参照する際に、参照したい電子ファイルと異なる電子ファイルの印刷データを誤って参照する恐れを低減することができる。また、電子ファイルの画像データとは異なる領域に書込むため、電子ファイルの画像データへの影響を低減することができる。したがって、印刷データを容易に、かつ確実に管理することができる。
【００５０】
なお、上記の実施の形態では、電子ファイル３３の操作が可能であって、プリンター１３に接続されており、プリンター１３に印刷を要求することにより電子ファイル３３の画像データを印刷可能なコンピュータ１２において、コンピュータ１２のコンピュータ制御部１４に備えられたプリンタドライバ３２が、電子ファイル３３の印刷に関する印刷データを入力させる入力手段、入力手段により入力させた印刷データを電子ファイル３３のうち画像データとは異なる領域であってデータを書込み可能な領域３３ｂに書込む書込み手段として機能させるための印刷プログラムとして作動する。
【００５１】
また、上記の実施の形態においては、電子ファイル３３の印刷データを入力させる入力手段、入力手段により入力させた印刷データを電子ファイル３３の書込み可能な領域３３ｂに書込む書込み手段としてコンピュータ１２を機能させるための印刷プログラムを記録したコンピュータ読取り可能な記録媒体は、コンピュータ制御部１４としたが、これに限らず、コンピュータ１２は、ＣＤ−ＲＯＭ等の記録媒体を接続するための接続ＩＦ部を備える構成とし、上記した印刷プログラムを記録したコンピュータ読取り可能な記録媒体から印刷プログラムを作動することにしてもよい。
【００５２】
また、上記の実施の形態においては、印刷データを、電子ファイル３３の印刷の履歴に関する印刷データとしたが、これに限らず、印刷に関するその他のデータであってもよい。例えば、印刷する回数に制限をかけたい場合には、印刷する回数を制限するデータ等であってもよい。
【００５３】
また、コンピュータ１２は、電子ファイル３３に画像データとは異なる書込み可能な領域３３ｂがあるか否かを判断する判断手段を設けてもよい。ここで、プリンタドライバ３２は、判断手段として作動する。判断においては、電子ファイル３３の形式に基づいて書込み可能な領域３３ｂがあるか否かを判断する。こうすることにより、電子ファイル３３に画像データとは異なる書込み可能な領域３３ｂがあるか否かを判断して、電子ファイル３３の印刷データを書込むことができる。また、電子ファイル３３の形式に基づいて書込み可能な領域３３ｂがあるか否かを判断することにより、領域３３ｂがあるか否かを容易に判断することができる。
【００５４】
また、コンピュータ１２は、書込んだ電子ファイル３３の印刷データを日時の古い順に消去する消去手段を設けてもよい。ここで、プリンタドライバ３２は、消去手段として作動する。具体的には、書込んでから一定の期間が経過すると、消去手段により、日時の古い順に印刷データを消去する。また、印刷データのデータサイズが一定のサイズを超えると、消去手段により、日時の古い順に印刷データを消去する。こうすることにより、不要な印刷データを日時の古い順に消去することができる。そうすると、必要な印刷データのみを保存することができる。したがって、印刷データを確実に管理することができる。
【００５５】
また、電子ファイル３３の印刷データを画像データとは異なる書込み可能な領域３３ｂに書込む場合において、特別な文字列を使用することにより、他に書込まれるデータと区別することにしてもよい。こうすることにより、印刷データを容易に区別することができる。
【００５６】
また、電子ファイルの印刷データを書込むか否かを電子ファイルに応じて選択可能とし、ユーザが書込みたい電子ファイルのみ書込むようにしてもよい。
【００５７】
また、上記の実施の形態においては、電子ファイル３３の印刷データを表示する場合、表示画面３５に、印刷履歴タブ３７としてタブの一つを追加することにより、印刷データを表示することとしたが、これに限らず、印刷データを表示できる表示画面であればよい。
【００５８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００５９】
【図１】この発明の一実施形態に係る印刷システムの一例を示すブロック図である。
【図２】電子ファイルのデータ構成の一例を示す概念図である。
【図３】電子ファイルをユーザが印刷する場合のフローチャートである。
【図４】印刷データを表示した表示画面の一例を示す図である。
【図５】デジタル複合機の一例を示すブロック図である。
【符号の説明】
【００６０】
１２  コンピュータ、１３  プリンター、１４  コンピュータ制御部、１５  コンピュータ記憶部、１６  コンピュータ表示部、１７  コンピュータ操作部、１８  コンピュータネットワークＩＦ部、１９  印刷システム、２０，５０  ネットワーク、３１  ディスプレイ、３２  プリンタドライバ、３３  電子ファイル、３３ａ，３３ｂ  領域、３５  表示画面、３６  印刷設定タブ、３７  印刷履歴タブ、４０  デジタル複合機、４１  制御部、４２  ＤＲＡＭ、４３  操作部、４４  原稿送り装置、４５  画像読取り部、４６  画像形成部、４７  ハードディスク、４９  ネットワークＩＦ部。
【図１】
2009025981.tif 000003
【図２】
2009025981.tif 000004
【図３】
2009025981.tif 000005
【図４】
2009025981.tif 000006
【図５】
2009025981.tif 000007